(57)【要約】【課題】容器本体で蓋と一体に構成されたブラシが、パッキングを通過する時ブラシに付いたマスカラ顔料がブラシに均等に付いた状態でワイピングされるようにする、ドア機能と抗菌機能を有する抗菌マスカラ容器を提供する。【解決手段】マスカラ顔料が貯蔵される容器本体１０と、前記容器本体１０に結合固定されたパッキング２０と、前記パッキング２０にヒンジ結合されて前記パッキングの管路を塞ぐドア３０と、前記パッキング２０とドア３０のヒンジ部に設置される一方、その両端部がそれぞれ前記パッキング２０とドア３０に支持されてドアをパッキング側に弾圧支持する弾性部材４０と、前記ドア３０の内側に形成されてブラシが引出される時前記ブラシがドアに押されないようにする押圧防止手段５０を備えている。【選択図】図３
2017047202.tif 000002
【特許請求の範囲】
【請求項１】
マスカラ顔料が貯蔵される容器本体と、
前記容器本体に結合固定されるパッキングと、
前記パッキングにヒンジ結合されて前記パッキングの管路を塞ぐドアと、
前記パッキングとドアのヒンジ部に設置される一方、その両端部がそれぞれパッキングとドアに支持されて、ドアをパッキング側に弾圧支持する弾性部材とを含み、
前記ドアの内側に形成されてブラシが引出される時前記ブラシがドアに押されないようにする押圧防止手段をさらに含むことを特徴とするドア機能を有し、抗菌成分を含有する抗菌マスカラ容器。
【請求項２】
前記押圧防止手段は、前記ドアの内側方向に突出したリブで構成されていることを特徴とする請求項１に記載のドア機能を有し、抗菌成分を含有する抗菌マスカラ容器。
【請求項３】
前記リブは三角形形状に形成されていることを特徴とする請求項２に記載のドア機能を有し、抗菌成分を含有する抗菌マスカラ容器。
【請求項４】
前記パッキングには、その内部に上部から下部に行くほどその直径が漸次に凹んで狭くなる管路が形成されるとともに、外側パッキングと内側パッキングとで構成されたことを特徴とする請求項１に記載のドア機能を有し、抗菌成分を含有する抗菌マスカラ容器。
【請求項５】
前記外側パッキングと内側パッキングの下端部にはギャップが形成されていることを特徴とする請求項４に記載のドア機能を有し、抗菌成分を含有する抗菌マスカラ容器。
【請求項６】
抗菌成分は１〜３重量％のシルバーを含有するシルバーグラスで、マスカラ容器に０．１〜３重量％含有されていることを特徴とする請求項１に記載のドア機能を有し、抗菌成分を含有する抗菌マスカラ容器。
【請求項７】
抗菌成分をマスカラ容器、パッキング、ドア、ブラシバー及びブラシの中の少なくとも一つ以上に含むことを特徴とする請求項１に記載の抗菌マスカラ容器。
【発明の詳細な説明】
【技術分野】
【０００１】
本発明は、ドア機能を有する抗菌マスカラ容器に関し、さらに詳しくは、容器本体で蓋と一体に構成されたブラシがパッキングを通過する時ブラシに付いたマスカラ顔料がブラシに均等に付けられた状態でワイピングされるようにするドア機能を有するようにし、また、微生物の繁殖を抑制することができるように開発した抗菌剤が含有されたマスカラ容器に関する。
【背景技術】
【０００２】
一般に、マスカラ（ｍａｓｃａｒａ）はまつげが濃くて長く見えるようにするために用いる化粧品で、所定の容器に貯蔵されたマスカラ顔料をブラシ（Ｂｒｕｓｈ）につけて使用する。
【０００３】
このようなマスカラ容器に対する従来の一例として、本出願人により先出願して登録された特許文献１による「ドア機能を有し、抗菌成分を含有する抗菌マスカラ容器」がある。
【０００４】
図１及び図２は、係る従来技術によるマスカラ容器の一例を示した図である。
図１及び図２によれば、一定量のマスカラ顔料が貯蔵され、上部のみ開口された容器本体１と、上記容器本体１の開口部に結合固定されるパッキング３と、上記パッキング３を貫通して容器本体１の開口部に開閉可能に結合される蓋２とを含む。
【０００５】
また、上記蓋２は、その一端部に一体に形成されたブラシバー２ａと、ブラシバー２ａの端部に設置されて容器本体１に貯蔵されたマスカラ顔料が付くブラシ２ｂとを含む。
【０００６】
また、上記パッキング３にヒンジ結合される一方、パッキング３に傾斜するように接触されてパッキング３の管路３ａを塞ぐドア４と、上記パッキング３とドア４のヒンジ部４ａに設置される一方、その両端部がそれぞれパッキング３とドア４に支持されてドア４をパッキング３側に弾圧するように支持する弾性部材４ｄと、上記ドア４に突出して形成され、弾性部材４ｄの一端部が支持されて弾性部材４ｄの回転角を最小化する突出部４ｃとを含む。
【０００７】
このように構成された従来のマスカラ容器は、マスカラを使用するために蓋２を容器本体１から分離させると、蓋２と一緒にブラシバー２ａとブラシ２ｂが容器本体１から引出され、ブラシバー２ａの下端部に形成されたブラシ２ｂがパッキング３の管路３ａに引出される瞬間から弾性部材４ｄの弾性力によってドア４が正転されてパッキング３の下面の傾斜面３ｂに接し、一方、ドア４の上面の挿入突部４ｂがパッキング３の傾斜面３ｂを通じて管路３ａに挿入されて、パッキング３の管路３ａを塞いで閉鎖させることにより、マスカラの使用時にも容器本体１に貯蔵されたマスカラ顔料と空気の接触を最小化することができるようにして、マスカラ顔料が硬化または変質される問題を解決し、製品の使用期間も延長させることができるという利点があった。
【０００８】
しかしながら、従来のマスカラ容器は、蓋２と一緒にブラシバー２ａとブラシ２ｂが容器本体１から引出される時、弾性部材４ｄによって弾力支持されているドア４がブラシ２ｂを押し、それにより、ブラシ２ｂに付いて出るマスカラ顔料がドア４に接触された部分の全体がワイピング（Ｗｉｐｉｎｇ）されるという問題点がある。
【０００９】
また、使用者が眉毛にマスカラ顔料を塗布する時、ブラシが微生物により汚染される虞があり、微生物に汚染されたブラシが容器本体に入ることにより、マスカラ顔料全体が汚染されてしまう。このようにして汚染されたマスカラ顔料を用いることにより、目に対する刺激または目周りのかゆみなどのトラブルの原因を引き起こすことがある。
【先行技術文献】
【特許文献】
【００１０】
【特許文献１】韓国登録特許第１０−１２８９５３３号公報
【特許文献２】韓国登録特許第１０−１３８６３０８号公報
【発明の概要】
【発明が解決しようとする課題】
【００１１】
本発明は、前述した従来技術における問題点を解決するためのもので、本発明の目的は、容器本体で蓋と一体に構成されたブラシがパッキングを通過する時ブラシに付いたマスカラ顔料がブラシに均等に付いた状態にワイピングされるようにするドア機能を有し、抗菌成分を含有する抗菌マスカラ容器を提供することにある。
【００１２】
また、本発明の他の目的は、パッキングによってワイピングされるブラシのワイピング効率を向上させるようにするドア機能を有し、抗菌成分を含有する抗菌マスカラ容器を提供することにある。
【００１３】
また、本発明の他の目的は、マスカラ顔料の微生物の汚染による微生物の繁殖を抑制することができるようにシルバーグラス抗菌成分を含むマスカラ容器を提供することにある。
【課題を解決するための手段】
【００１４】
本発明の上記目的を達するための技術的思想として、ドア機能を有し、抗菌成分を含有する抗菌マスカラ容器は、マスカラ顔料が貯蔵される抗菌成分を含有する容器本体と、上記容器本体に結合固定される抗菌成分を含有するパッキングと、上記パッキングにヒンジ結合されて上記パッキングの管路を塞ぐ抗菌成分を含有するドアと、上記パッキングとドアのヒンジ部に設置される一方、その両端部がそれぞれパッキングとドアに支持されてドアをパッキング側に弾圧支持する弾性部材とを含み、上記ドアの内側に形成されてブラシが引出される時、上記ブラシがドアに押されないようにする押圧防止手段をさらに含む。
【００１５】
また、上記押圧防止手段は、上記ドアの内側方向に突出されたリブで構成される。
【００１６】
また、上記リブは三角形に形成される。
【００１７】
また、上記パッキングは、その内部に上部から下部に行くほどその直径が漸次に凹んで狭くなる管路が形成され、また、外側パッキングと内側パッキングとで構成される。
【００１８】
また、上記外側パッキングと内側パッキングの下端部にはギャップが形成される。
【００１９】
また、本発明によるマスカラ容器、パッキング、ドア、ブラシバー及びブラシにおいて、抗菌成分は、１〜３重量％のシルバーを含有するシルバーグラスで、マスカラ容器、パッキング、ドア、ブラシバー及びブラシに０．１〜３重量％含有されることを特徴とする。
【発明の効果】
【００２０】
本発明を達するための技術的思想として、本発明によるマスカラ容器は、マスカラ顔料が貯蔵される容器本体の上部に結合されたパッキングにヒンジ結合されたドアに押圧防止手段を形成することにより、容器本体で蓋と一体に構成されたブラシがパッキングを通過する時ブラシに付いたマスカラ顔料がブラシに均等に付けられた状態でワイピングされるという効果を奏する。
【００２１】
また、本発明によるマスカラ容器は、容器本体の上部に結合されたパッキングをその内部に上部から下部に行くほどその直径が漸次に凹んで狭くなる管路が形成され、また、外側パッキングと内側パッキングとで構成され、外側パッキングと内側パッキングの下端部にはギャップが形成されることにより、パッキングによってワイピングされるブラシのワイピング効果を向上させることができる。
【００２２】
また、マスカラ容器、パッキング、ドア、ブラシバー及びブラシに抗菌成分を含んで微生物の繁殖を抑制することができる。
【図面の簡単な説明】
【００２３】
【図１】従来のマスカラ容器の一例を示した分解断面図である。
【図２】従来のマスカラ容器のパッキングを詳細に示した断面図である。
【図３】本発明によるマスカラ容器の分解斜視図である。
【図４】本発明によるマスカラ容器の断面図である。
【図５】本発明によるマスカラ容器の断面図で、ブラシの引出される前の状態を示す図である。
【図６】本発明によるマスカラ容器の平断面図で、ブラシと押圧防止手段を示した図である。
【図７】本発明によるマスカラ容器でパッキング、ドア及び押圧防止手段を示した分解斜視図である。
【図８】本発明によるマスカラ容器でパッキング、ドア及び押圧防止手段を示した断面図で、ドアが閉鎖された状態の図である。
【図９】本発明によるマスカラ容器でパッキング、ドア及び押圧防止手段を示した断面図で、ドアが開放された状態の図である。
【図１０】シルバーグラス抗菌物質が含まれたマスカラ容器の電子顕微鏡写真である。
【図１１】黄色ブドウ球菌に対して抗菌処理及び無処理サンプルの抗菌試験結果を示した写真である。
【図１２】大腸菌に対して抗菌処理及び無処理サンプルの抗菌試験結果を示した写真である。
【発明を実施するための形態】
【００２４】
以下、本発明の実施例について添付された図面を参照してその構成及び作用を説明する。
【００２５】
図３は本発明によるマスカラ容器の分解斜視図であり、図４は本発明によるマスカラ容器の断面図であり、図５は本発明によるマスカラ容器の断面図で、ブラシの引出される前の状態を示す図であり、図６は本発明によるマスカラ容器の平断面図で、ブラシと押圧防止手段を示した図であり、図７は本発明によるマスカラ容器でパッキング、ドア及び押圧防止手段を示した分解斜視図であり、図８は本発明によるマスカラ容器でパッキング、ドア及び押圧防止手段を示した断面図で、ドアが閉鎖された状態の図であり、図９は本発明によるマスカラ容器でパッキング、ドア及び押圧防止手段を示した断面図で、ドアが開放された状態の図である。
【００２６】
図３〜図９によれば、本発明によるマスカラ容器１００は、容器本体１０、パッキング２０、ドア３０、弾性部材４０、押圧防止手段５０及び蓋６０を含む。
上記容器本体１０は一定量のマスカラ顔料が貯蔵され、上部のみ開口される。
【００２７】
ここで、上記容器本体１０は、図３に示すように、マスカラ顔料が直接充填されて貯蔵される内部容器１１と、この内部容器１１を収容する外部容器１２とで構成された二重容器の構造で形成されることができる。
【００２８】
上記パッキング２０は、上記容器本体１０の開口部に結合固定されるもので、その内部に上部から下部に行くほどその直径が漸次に凹んで狭くなる管路２１が形成され、外側パッキング２０ａと内側パッキング２０ｂとで構成される。
【００２９】
また、外側パッキング２０ａと内側パッキング２０ｂの下端部にはギャップ２２が形成されて、ブラシ６２及びブラシバー６１に付いて出るマスカラ顔料をワイピングしやすく内側パッキング２０ｂの下端部がギャップ２２によって外側パッキング２０ａ側に拡張されるように弾性を有するようになる。
【００３０】
即ち、従来はパッキングが一体に構成されて金型の構造上管路をワイピングしやすい構造に形成することが難しかったが、これを外側パッキング２０ａと内側パッキング２０ｂとに区分して内側パッキング２０ｂはワイピングが容易な構造に形成し、上記内側パッキング２０ｂを囲む形態に外側パッキング２０ａが形成される。
【００３１】
そして、上記外側パッキング２０ａの下面は平面にすることもでき、約４５°の角度に傾斜するようにすることもできるが、本発明では傾斜面２３を形成した状態を一例として説明し、上記傾斜面２３には後述されるドア３０が回転可能にヒンジ結合されて、上記ドア３０が外側パッキング２０ａの傾斜面２３で回転させられながらパッキング２０の管路２１を開閉させる。
【００３２】
上記ドア３０は、上記パッキング２０にヒンジ結合されて、上記パッキング２０の管路２１を塞ぐもので、パッキング２０の傾斜面２３にその一側が回転可能にヒンジ部３１が形成され、このヒンジ部３１にはドア３０をパッキング２０の傾斜面２３側に回転させて弾力性支持する弾性部材４０が備えられている。
【００３３】
また、上記ドア３０の上面にはドア３０とパッキング２０との間の密閉力を向上させるための挿入突部３２が突出して形成され、上記ドア３０の挿入突部３２はパッキング２０の下面の傾斜面２３を通じて管路２１内に挿入されて結合される。従って、上記ドア３０がパッキング２０の傾斜面２３に接する際はドア３０の挿入突部３２がパッキング２０の下面の管路２１に挿入されることにより優れた気密性を有するようになっている。
【００３４】
また、上記ドア３０の挿入突部３２の反対面には突出した突出部３３が形成され、上記突出部３３には弾性部材４０の一端部が接して支持されている。従って、上記ドア３０の下面に突出された突出部３３によってドア３０の開閉時は弾性部材４０の回転角、即ち開閉角度が約６０°未満に最小化されて弾性部材４０の寿命が延長され、それによりマスカラ容器の耐久性が向上される。
【００３５】
上記弾性部材４０は、上記パッキング２０とドア３０のヒンジ部３１との間に設置され、その両端部がそれぞれパッキング２０とドア３０に支持されてドア３０をパッキング２０側に弾圧支持させるようになっている。
【００３６】
また、上記弾性部材４０としては、ドア３０をパッキング２０の傾斜面２３側に回転させる弾性力のみを有するものであれば、どのような部材を用いても構わないが、より容易な設置と円滑な動作のためには、トーションスプリングで構成することが好ましい。従って、上記ドア３０に外力が作用しない限り、上記ドア３０は弾性部材の弾性力によって常にパッキング２０の傾斜面２３に接した状態を保持してパッキング２０の管路２１を塞いで閉じることにより容器本体１０に貯蔵されたマスカラ顔料と空気との間の接触を最大限に遮断することができる。
【００３７】
この時、上記弾性部材４０はその一端部がドア３０の突起部に接して支持され、他端はパッキング２０に接して支持されることにより、上記弾性部材４０によってドア３０に提供される弾性力はドア３０をパッキング２０の下面に回転させる回転力で具現される。従って、容器本体１０から蓋６０を取り外して分離すれば、蓋６０のブラシ６２がパッキング２０の管路２１に挿入される瞬間からドア３０が弾性部材４０によって回転されてパッキング２０の管路２１を塞いで遮断し、蓋６０の結合時はパッキング２０の管路２１を通じて挿入されるブラシ６２とブラシバー６１によってドア３０が弾性部材４０の弾性力を勝って逆回転されて開放された状態を保持する。
【００３８】
押圧防止手段５０は上記ドア３０の内側に形成されてブラシ６２が引出される時上記ブラシ６２がドア３０により押されないようにするもので、上記ドア３０の内側方向に突出されたリブ５１で構成されることが好ましい。
【００３９】
また、上記リブ５１は、四角形、円形または三角形形状などで構成されることができる。
【００４０】
上記蓋６０は上記パッキング２０を貫通して容器本体１０の開口部に開閉可能に結合されるもので、一端部に一体に形成されたブラシバー６１と、上記ブラシバー６１の端部に設置されて容器本体１０に貯蔵されたマスカラ顔料が付いたブラシ６２を含む。
【００４１】
一方、本発明の図面には図示しなかったが、容器本体１０と蓋６０との間には、気密保持のための別途のＯリングが設置されることが好ましい。
【００４２】
以上のように構成された本発明によるマスカラ容器の作動関係を説明する。
【００４３】
まず、マスカラの非使用時に、即ち、蓋６０を容器本体１０に結合すると、図４に示すように、蓋６０に備えられたブラシバー６１とブラシ６２がパッキング２０の管路２１を通じて容器本体１０内に挿入された状態であり、このように挿入されるブラシ６２とブラシバー６１によってパッキング２０の傾斜面２３に接していたドア３０は弾性部材４０の弾性力に勝って逆回転された状態でブラシバー６１に接して開放された状態を保持する。
【００４４】
このような状態で、マスカラを使用するために、蓋６０を容器本体１０から分離させると、蓋６０と一緒にブラシバー６１とブラシ６２が容器本体１０から引出され、ブラシバー６１の下端部に形成されたブラシ６２がパッキング２０の管路２１から引出される瞬間から弾性部材４０の弾性力によってドア３０が図８に示すように正転されてパッキング２０の下面の傾斜面２３に接する一方、ドア３０の上面の挿入突部３２がパッキング２０の傾斜面２３を通じて管路２１に挿入されてパッキング２０の管路２１を塞いで閉鎖させる。
【００４５】
また、上記ブラシバー６１とブラシ６２がパッキング２０を通過する過程で、ドア３０の押圧防止手段５０であるリブ５１によってブラシ６２がドアによって押されることなくワイピングされるので、ブラシ６２の円周面全体にマスカラ顔料が均等に付いた状態で引出されて使用可能になる。
【００４６】
また、上記ブラシバー６１とブラシ６２がパッキング２０を通過する過程で、マスカラ顔料がワイピングされる内側パッキング２０ｂと外側パッキング２０ａとの間に形成されたギャップ２２によって弾性変形されながらワイピングが容易になる。
【００４７】
従って、本発明によるマスカラ容器１００は、マスカラの非使用時はもちろん、マスカラの使用時にもパッキング２０の下面に備えられたドア３０によって容器本体１０が常に閉じられた状態を保持することにより、容器本体１０に貯蔵されたマスカラ顔料と空気との間の接触が最大限に防止されて、マスカラ顔料の蒸発、硬化、変質などを予め防止することができる。
【００４８】
次に、以上のように構成された本発明によるマスカラ容器の抗菌力について説明する。
【００４９】
容器にマスカラ顔料と接触するマスカラ容器は、射出時に抗菌成分を含有させることにより、マスカラ容器と接触するマスカラ顔料の微生物の繁殖を抑制することができる。必要に応じて、マスカラ容器以外の他の構成品、例えばパッキング、ドア、ブラシバー及びブラシの中の少なくとも一つ以上に抗菌成分を含ませてもよい。
【００５０】
抗菌成分は、１〜３重量％のシルバーを含有するシルバーグラス（ｓｉｌｖｅｒ  ｇｌａｓｓ、ＣＡＳ  Ｎｏ６５９９７−１７−３）であることができる。例えば、１．８重量％のシルバーを含有するシルバーグラスを用いることができる。シルバーグラスを用いる場合、マスカラ容器に効果的に抗菌力を付与することができる。
【００５１】
マスカラ容器の場合、０．１〜３重量％のシルバーグラスを含有することができる。抗菌成分の量が少なすぎる場合、十分な抗菌力を発揮することができず、多すぎる場合、他の物性が低下する。例えば、マスカラ容器の場合、８０重量％の原材料と２０重量％の抗菌マスターバッチで組成することができ、この時、抗菌マスターバッチは９０重量％の原材料と１０重量％のシルバーグラスで組成されることができ、シルバーグラスは１．８重量％のシルバーを含有することができる。また他の例として、マスカラ容器の場合、９９重量％の原材料と１重量％のシルバーグラスで組成することができ、この時、シルバーグラスは１．８重量％のシルバーを含有することができる。上述した含有量の範囲内で、黄色ブドウ球菌に対して９９．９９％以上の抗菌力及び大腸菌に対して１００．００％以上の抗菌力を確保することができる。
【００５２】
表１は、ＪＩＳ  Ｚ２８０１  ２０１０抗菌加工製品−抗菌性試験方法・抗菌効果５項の試験方法によるマスカラ容器の抗菌試験結果を示している。図１０はシルバーグラス抗菌物質が含まれたマスカラ容器の電子顕微鏡写真である。また、図１１は黄色ブドウ球菌に対して抗菌処理及び無処理サンプルの抗菌試験結果を示した写真であり、図１２は大腸菌に対して抗菌処理及び無処理サンプルの抗菌試験結果を示した写真である。
【００５３】
【表１】
2017047202.tif 000003
【００５４】
本発明は添付された図面に示された一実施例を参照して説明したが、当該技術分野における通常の知識を有する者にとって多様な変形及び他の実施例が可能であることを理解すべきである。
【符号の説明】
【００５５】
１００      マスカラ容器
１、１０    容器本体
２          蓋
３          パッキング
４          ドア
１１        内部容器
１２        外部容器
２０        パッキング
２０ａ      外側パッキング
２０ｂ      内側パッキング
２１        管路
２２        ギャップ
２３        傾斜面
３０        ドア
３１        ヒンジ部
３２        挿入突部
３３        突出部
４０        弾性部材
５０        押圧防止手段
５１        リブ
６０        蓋
６１        ブラシバー
６２        ブラシ
【図１】
2017047202.tif 000004
【図２】
2017047202.tif 000005
【図３】
2017047202.tif 000006
【図４】
2017047202.tif 000007
【図５】
2017047202.tif 000008
【図６】
2017047202.tif 000009
【図７】
2017047202.tif 000010
【図８】
2017047202.tif 000011
【図９】
2017047202.tif 000012
【図１０】
2017047202.tif 000013
【図１１】
2017047202.tif 000014
【図１２】
2017047202.tif 000015
【外国語明細書】
Antibiotic MASCARA VESSEL HAVING DOOR FUNCTION 
CROSS REFERENCE TO RELATED APPLICATION(S)
This application claims the benefit of Korean Patent Application No.2015-0119248, filed 2015.08.25, which is hereby incorporated by reference in its entirety into this application.
BACKGROUND OF THE INVENTION
Field of the Invention
The present invention generally relates to an antibiotic mascara vessel having a door function.  More particularly, the present invention relates to a mascara vessel having a door function that is configured such that when a brush integrated with a cap and covered with mascara is pulled out of a vessel body, the mascara on the brush is evenly wiped with a packing set in the vessel body to remove excess mascara and thereby the present invention can provide the brush evenly covered with mascara to a user, wherein the antibiotic mascara vessel has an antimicrobial agent, thus inhibiting the growth of microorganism.
Description of the Related Art
Generally, mascara is a substance used as a cosmetic to color the eyelashes so as to make the eyelashes look dark and long.  Mascara is typically contained in a specific vessel and is typically applied to the eyelashes using a brush covered with the mascara.
An example of conventional mascara vessels may be referred to Korean Patent No. 10-1289533 entitled "mascara vessel having door function", which was filed by and allowed to the inventor of the present invention.
FIGS. 1 and 2 are views showing an example of conventional mascara vessels.
As shown in FIGS. 1 and 2, the conventional mascara vessel includes: a vessel body 1 that contains a predetermined amount of mascara therein and is open at only one end to form a mouth; a packing 3 set in the open mouth of the vessel body 1; and a cap 2 openably tightened to the open mouth of the vessel body 1 while passing through the packing 3.
Here, the cap 2 includes: a brush bar 2a integrated with an end of the cap 2; and a brush 2b that is provided on a lower end of the brush bar 2a and is covered with mascara contained in the vessel body 1.
The conventional mascara vessel further includes: a door 4 that is hinged to the packing 3 and comes into inclined contact with the packing 3, thereby closing a passage 3a of the packing 3; an elastic member 4d mounted to a hinge joint 4a of the packing 3 and the door 4 such that opposite ends of the elastic member 4a are supported by the packing 3 and the door 4, respectively, so that the elastic member 4d can elastically bias the door 4 in a direction toward the packing 3; and a protrusion 4c that protrudes on the door 4 and supports an end of the elastic member 4d, thereby minimizing the rotational angle of the elastic member 4d.
When it is desired to apply mascara to eyelashes using the conventional mascara vessel having the above-mentioned construction, the cap 2 is removed from the vessel body 1.  When removing the cap 2 from the vessel body 1, the brush bar 2a having the brush 2b is pulled out of the vessel body 1 along with the cap 2.  In this case, just after the brush 2b provided on the lower end of the brush bar 2a enters into the passage 3a of the packing 3, the door 4 is elastically rotated clockwise due to the elasticity of the elastic member 4d and comes into contact with an inclined surface 3b of the lower end of the packing 3, and an insert protrusion 4b provided on the upper surface of the door 4 is inserted into the passage 3a via an opening of the inclined surface 3b of the packing 3, thereby closing the passage 3a of the packing 3.  Accordingly, the above-mentioned conventional mascara vessel is advantageous in that it is possible to minimize the contact between air and mascara contained in the vessel body 1 even when applying mascara, thereby solving the problem of hardening or deterioration of mascara contained in the vessel body and lengthening the life span of mascara.
However, the conventional mascara vessel is problematic in that when the brush bar 2a having the brush 2b is pulled out of the vessel body 10 along with the cap 2, the door 4 elastically biased by the elastic member 4d presses the brush 2b so that mascara that covers a part of the brush 2b which is in contact with the door 4 is totally wiped from the brush.
Moreover, when the user coats a mascara pigment on his eyebrows, the brush may be contaminated with microorganism, and as the brush contaminated with microorganism is inputted inside of the vessel body, the whole mascara pigments may be contaminated. The use of thusly contaminated mascara pigment may cause a predetermined trouble, for example, a stimulation to eyes, an itchy phenomenon near eyes, etc.
[Documents of Related Art]
[Patent Documents]
(Patent Document 1) Korean Patent No. 10-1289533 {July 24, 2013}; and
(Patent Document 2) Korean Patent No. 10-1386308 {April 17, 2014}
SUMMARY OF THE INVENTION
Accordingly, the present invention has been made keeping in mind the above problems occurring in the related art, and the present invention is intended to propose a mascara vessel having a door function that is configured such that when a brush integrated with a cap is pulled out of the vessel body while passing through a packing, mascara that covers the brush is evenly wiped with the packing to remove excess mascara and thereby the present invention can provide the brush evenly covered with mascara to a user.
The present invention is also intended to propose a mascara vessel having a door function which can improve the wiping efficiency for the brush that is wiped with a packing.
Moreover, it is another object of the present invention to provide a mascara vessel which contains a silver glass antibiotic component to inhibit the growth of any microorganism due to the microorganism contamination of a mascara pigment.
In order to achieve the above object, according to the present invention, there is provided a mascara vessel having a door function, the mascara vessel including: a vessel body containing mascara and an antibiotic component therein; a packing set in the vessel body and having an antibiotic component; a door hinged to the packing and functioning to close a passage of the packing and having an antibiotic component; an elastic member provided on a hinge joint between the packing and the door, with opposite ends of the elastic member being held by the packing and the door, respectively, so that the elastic member elastically biases the door in a direction toward the packing; and a depression resisting means provided on an upper surface of the door and functioning to prevent the brush from being depressed by the door when the brush is pulled out of the vessel body.
The depression resisting means may be a rib that protrudes upward from the upper surface of the door.
The rib may have a triangular shape.
The packing may comprise an outside packing and an inside packing, with a taper passage defined in the packing, in which a diameter of the passage is gradually reduced in a downward direction from a top end of the passage, thereby forming a taper shape of the passage.
In the mascara vessel, a gap may be defined between lower parts of the outside packing and the inside packing.
Moreover, in the mascara vessel, a packing, a door, a brush bar and a brush according to the present invention, the antibiotic component is a silver glass containing 1〜3% by weight of a silver, and 0.1〜3% by weight thereof is contained in the mascara, the vessel, the packing, the door, the brush bar and the brush.
As described above, the mascara vessel according to the present invention is configured such that the depression resisting means is provided on the door hinged to the packing set in the upper part of the vessel body containing mascara therein, so that when the brush integrated with the cap is pulled out of the vessel body while passing through the packing, mascara that covers the brush is evenly wiped with the packing to remove excess mascara and thereby the present invention can provide the brush evenly covered with mascara to a user.
Further, in the mascara vessel according to the present invention, the taper passage is defined in the packing in which the diameter of the passage is gradually reduced in the downward direction from the top end of the passage, thereby forming the taper shape of the passage.  In addition, the packing includes the outside packing and the inside packing, with a gap defined between the lower parts of the outside packing and the inside packing, thereby improving the wiping efficiency for the brush that is wiped with the packing.
Moreover, the mascara vessel, the packing, the door, the brush bar and the brush contain an antibiotic component, thus inhibiting the growth of any microorganism.
BRIEF DESCRIPTION OF THE DRAWINGS
The above and other objects, features and other advantages of the present invention will be more clearly understood from the following detailed description when taken in conjunction with the accompanying drawings, in which:
FIG. 1 is an exploded sectional view of an example of conventional mascara vessels;
FIG. 2 is a sectional view illustrating a packing of the conventional mascara vessel in detail;
FIG. 3 is an exploded perspective view of a mascara vessel according to the present invention;
FIG. 4 is a sectional view of the mascara vessel according to the present invention;
FIG. 5 is a sectional view of the mascara vessel according to the present invention which shows a state before a brush is pulled out from a vessel body;
FIG. 6 is a plan sectional view showing the brush and a depression resisting means of the mascara vessel according to the present invention;
FIG. 7 is an exploded perspective view showing the packing, a door, and the depression resisting means of the mascara vessel according to the present invention;
FIG. 8 is sectional view showing the packing, the door in a closed state, and the depression resisting means of the mascara vessel according to the present invention;
FIG. 9 is sectional view showing the packing, the door in an open state, and the depression resisting means of the mascara vessel according to the present invention;
FIG. 10 is a photo taken by an electron microscope and showing a mascara vessel containing a silver glass antibiotic substance;
FIG. 11 is a photo showing a result of an antibiotic test on an antibiotic treated sample or a non-treated sample with respect to a staphylococcus; and
FIG. 12 is a photo showing a result of an antibiotic test on an antibiotic treated sample or a non-treated sample with respect to a colon bacterium.
DETAILED DESCRIPTION OF THE INVENTION
Hereinbelow, an exemplary embodiment of the present invention will be described in detail with reference to the accompanying drawings.
FIG. 3 is an exploded perspective view of a mascara vessel according to the present invention.  FIG. 4 is a sectional view of the mascara vessel according to the present invention.  FIG. 5 is a sectional view of the mascara vessel according to the present invention which shows a state before a brush is pulled out from a vessel body.  FIG. 6 is a plan sectional view showing the brush and a depression resisting means of the mascara vessel according to the present invention.  FIG. 7 is an exploded perspective view showing the packing, a door, and the depression resisting means of the mascara vessel according to the present invention.  FIG. 8 is sectional view showing the packing, the door in a closed state, and the depression resisting means of the mascara vessel according to the present invention.  FIG. 9 is sectional view showing the packing, the door in an open state, and the depression resisting means of the mascara vessel according to the present invention.
As shown in FIGS. 3 to 9, the mascara vessel 100 according to the present invention includes: a vessel body 10, a packing 20, a door 30, an elastic member 40, a depression resisting means 50, and a cap 60.
Here, the vessel body 10 contains a predetermined amount of mascara therein, in which only the top end of the vessel body 10 is open.
Here, as shown in FIG. 3, the vessel body 10 has a double vessel structure that is formed by an inner casing 11 containing mascara therein and an outer casing 12 receiving the inner casing 11 therein.
The packing 20 is set in the mouth of the vessel body 10, with a taper passage 21 defined in the packing 20.  Here, the diameter of the passage 21 is gradually reduced in a downward direction from the top end of the passage 21, thereby forming the taper shape of the passage 21.  The packing 20 includes an outside packing 20a and an inside packing 20b.
Further, a gap 22 is defined between the lower parts of the outside packing 20a and the inside packing 20b so that the lower end of the inside packing 20b can elastically expand toward the outside packing 20a due to the presence of the gap 22, thereby efficiently wiping the excess mascara that covers both the brush 62 and the brush bar 61.
In other words, unlike the conventional technique in which the packing is formed as an integral body so that it is very difficult to form the passage of the packing in a structure capable of efficiently wiping mascara due to a structural limit of a mold for the packing, the present invention divides the packing 20 into the outside packing 20a and the inside packing 20b in which the inside packing 20b is configured as a structure capable of efficiently wiping mascara and the outside packing 20a is configured as a structure surrounding the inside packing 20b.
Further, the lower surface of the outside packing 20a may be configured as a flat surface or an inclined surface having an angle of inclination of 45°.  In the present embodiment, the lower surface of the outside packing 20a is configured as an inclined surface 23, as an example.  The door 30 that will be described later herein is rotatably hinged to the inclined surface 23 such that the door 30 can open or close the passage 21 of the packing 20 by being rotated on the inclined surface 23 of the outside packing 20a.
The door 30 is hinged to the packing 20 so as to open or close the passage 21 of the packing 20.  To rotatably hinge an end of the door 30 to the inclined surface 23 of the packing 20, a hinge joint 31 is provided on a junction between the end of the door 30 and an associated end of the packing 20, with an elastic member 40 engaged with the hinge joint 31 such that the elastic member 40 elastically biases the door 30 in a direction toward the inclined surface 23 of the packing 20.
Further, to increase the sealing effect between the door 30 and the packing 20, an insert protrusion 32 protrudes on the upper surface of the door 30.  The insert protrusion 32 of the door 30 is inserted into the passage 21 through the inclined surface 23 formed on the lower surface of the packing 20 so that the insert protrusion 32 is efficiently engaged with the passage 21 of the packing 20.  In other words, when the door 30 comes into contact with the inclined surface 23 of the packing 20, the insert protrusion 32 of the door 30 is inserted into the passage 21 of the packing 20 from the lower surface of the packing 20, thereby realizing excellent sealing effect between the door 30 and the packing 20.
Further, another protrusion 33 protrudes on the lower surface of the door 30 that is opposite to the insert protrusion 32.  Here, one end of the elastic member 40 is held by the protrusion 33 so that when the door 30 having the protrusion 33 on the lower surface thereof is opened, the rotated angle of the elastic member 40 that is the opened angle of the door 30 is minimized to an angle less than 60°.  Accordingly, the present invention can increase the expected life span of the elastic member 40, thereby improving the durability of the mascara vessel.
The elastic member 40 is installed on the hinge joint 31 provided at the junction between the packing 20 and the door 30.  Here, opposite ends of the elastic member 40 are held by the packing 20 and the door 30, respectively, so that the elastic member 40 elastically biases the door 30 in a direction toward the packing 20.
Although the elastic member 40 of the present invention may be freely selected from various elements having elasticity capable of biasing the door 30 in a direction toward the inclined surface 23 of the packing 20, it is preferred to use a torsion spring as the elastic member 40 because the torsion spring is an element that can realize easy installation on the junction and efficient operation.  Accordingly, when no external force is applied to the door 30, the door 30 normally elastically maintains a closed state in which the door 30 is in close contact with the inclined surface 23 of the packing 20 due to the elasticity of the elastic member.  Because the door 30 normally elastically closes the passage 21 of the packing 20 as described above, the door 30 can prevent the mascara contained in the vessel body 10 from contact with air.
Here, a first end of the elastic member 40 is held by the protrusion 33 of the door 30 and a second end of the elastic member 40 is held by the packing 20 so that the elastic force of the elastic member 40 that is applied to the door 30 acts as a rotating force that rotates the door 30 in a direction to the lower surface of the packing 20.  Thus, when the cap 60 is pulled out of the vessel body 10 so as to be removed therefrom, the door 30 is elastically rotated due to the elasticity of the elastic member 40 and closes the passage 21 of the packing 20 just after the brush 62 of the cap 60 is inserted into the passage 21 of the packing 20.  On the contrary, when the cap 60 is combined with the vessel body 10, the brush 62 and the brush bar 61 are inserted into the vessel body 10 via the passage 21 of the packing 20.  In this case, the brush 62 and the brush bar 61 forcibly rotate the door 30 in a counterclockwise direction while overcoming the elasticity of the elastic member 40, and the brush bar 61 maintains the open state of the door 30.
The depression resisting means 50 is provided on the upper surface of the door 30 and functions to prevent the brush 62 from being depressed by the door 30 when the brush 62 is pulled out of the vessel body 10.  Here, in the present invention, the depression resisting means 50 may be configured as a rib 51 that protrudes upward from the upper surface of the door 30 such that when the door 30 is closed, the rib 51 can be inserted into the inclined surface 23 of the packing 20.
In the present invention, the rib 51 may be configured to have a square shape, a circular shape or a triangular shape.
The cap 60 is openably tightened to the mouth of the vessel body 10 in which the packing 20 is set.  The cap 60 includes: the brush bar 61 integrated with an end of the cap 60; and the brush 62 that is provided on a lower end of the brush bar 61 and is covered with mascara contained in the vessel body 10.
Further, an O-ring (not shown) may be provided in the junction between the vessel body 10 and the cap 60 so as to seal the junction.
Hereinbelow, the operation of the mascara vessel according to the present invention having the above-mentioned construction will be described.
First, when it is desired to keep the mascara vessel in storage after using the mascara vessel, the cap 60 is tightened to the vessel body 10.  When tightening the cap 60 to the vessel body 10, the brush bar 61 and the brush 62 of the cap 60 are inserted into the vessel body 10 through the passage 21 of the packing 20, as shown in FIG. 4.  When the brush 62 and the brush bar 61 are inserted into the vessel body 10 as described above, the brush 62 and the brush bar 61 forcibly rotate the door 30 in the counterclockwise direction from a contact position, at which the door 30 is in contact with the inclined surface 23 of the packing 20, while overcoming the elasticity of the elastic member 40, and the brush bar 61 maintains the open state of the door 30.
When it is desired to apply mascara to eyelashes using the mascara vessel, the cap 60 is removed from the vessel body 10.  When removing the cap 60 from the vessel body 10, the brush bar 61 having the brush 62 is pulled out of the vessel body 10 along with the cap 60.  In this case, just after the brush 62 provided on the lower end of the brush bar 61 enters into the passage 21 of the packing 20, the door 30 is elastically rotated clockwise due to the elasticity of the elastic member 40 and comes into contact with the inclined surface 23 of the lower end of the packing 20, and the insert protrusion 32 provided on the upper surface of the door 30 is inserted into the passage 21 via the opening of the inclined surface 23 of the packing 20, thereby closing the passage 21 of the packing 20.
When the brush bar 61 and the brush 62 pass through the packing 20, the mascara on the brush 62 is evenly wiped with the packing 20 to remove excess mascara so that a user can use the brush 62 evenly covered with the mascara on the outer circumferential surface thereof.  During the above-mentioned mascara wiping process, the rib 51 functioning as the depression resisting means 50 can efficiently prevent the brush 62 from being depressed by the door 30.
Further, when the brush bar 61 and the brush 62 pass through the packing 20, the brush bar 61 and the brush 62 can be elastically deformed due to the gap 22 defined between the lower parts of the outside packing 20a and the inside packing 20b that wipe the mascara, so that the present invention improve the wiping efficiency for the brush 62 that is wiped with the packing 20.
Accordingly, the mascara vessel 100 according to the present invention is advantageous in that when applying mascara to the eyelashes using the mascara vessel or when keeping the mascara vessel in storage while not using the mascara, the door 30 provided on the lower surface of the packing 20 can efficiently close the vessel body 10, so that the present invention can efficiently prevent the mascara contained in the vessel body 10 from being brought into contact with air, thereby efficiently preventing vaporization, hardening, and degradation of the mascara.
The antimicrobial activity of the mascara vessel according to the present invention will be described.
Since the mascara vessel contacting with the mascara pigment contains a predetermined antibiotic component during the injection, it is possible to inhibit the growth of any microorganism in the mascara pigment contacting with the mascara vessel. At least one or more of the other components, except for the mascara vessel, for example, a packing, a door, a brush bar, a brush, etc. may contain an antibiotic component, if necessary.
The antibiotic component may be a silver glass (CAS No 65997-17-3) containing 1〜3% by weight of a silver. For example, the silver glass containing 1.8% by weight of a silver may be used. If the silver glass is used, it is possible to effectively provide the mascara vessel with an antimicrobial activity.
In case of the mascara vessel, it may contain 0.1〜3% by weight of a silver glass. If the amount of the antibiotic component is too small, an enough antimicrobial activity can’t be obtained. If the amount thereof is too much, other physical properties may be degraded. For example, in case of the mascara vessel, it may consist of 80% by weight of a raw material, and 20% by weight of an antibiotic master batch, wherein the antibiotic master batch may consist of 90% by weight of a raw material, and 10% by weight of a silver glass, and the silver glass may contain 1.8% by weight of a silver. As another example, in case of the mascara vessel, it may consist of 99% by weight of a raw material, and 1% by weight of a silver glass. Here, the silver glass may contain 1.8% by weight of a silver. In the aforementioned contents range, higher than 99.99% of the antimicrobial activity with respect to a staphylococcus and 100% of the antimicrobial activity with respect to a colon bacterium can be obtained.
Table 1 shows a result of the antibiotic tests of the mascara vessel carried out based on the JIS Z2801 2010 antibiotic treated product-antibiosis test method and the test method of the antibiotic effect recited in claim 5. FIG. 10 is a photo taken by an electron microscope and showing a mascara vessel containing a silver glass antibiotic substance, FIG. 11 is a photo showing a result of an antibiotic test on an antibiotic treated sample or a non-treated sample with respect to a staphylococcus, and FIG. 12 is a photo showing a result of an antibiotic test on an antibiotic treated sample or a non-treated sample with respect to a colon bacterium.
【Table 1】
2017047202.tif 000016
Although a preferred embodiment of the present invention has been described for illustrative purposes, those skilled in the art willappreciate that various modifications, additions and substitutions are possible, without departing from the scope and spirit of the invention as disclosed in the accompanying claims.
*Description of reference characters of important parts*
100: mascara vessel              10: vessel body
11: inner casing                 12: outer casing   
20: packing               20a: outside packing
20b: inside packing              21: passage
22: gap                          23: inclined surface
30: door                         31: hinge joint
32: insert protrusion            33: protrusion
40: elastic member        50: depression resisting means
51: rib                          60: cap
61: brush bar                    62: brush
WHAT IS CLAIMED IS:
1. A mascara vessel having a door function and an antibiotic component, the mascara vessel comprising:
a vessel body containing mascara therein;
a packing set in the vessel body;
a door hinged to the packing and functioning to close a passage of the packing;
an elastic member provided on a hinge joint between the packing and the door, with opposite ends of the elastic member being held by the packing and the door, respectively, so that the elastic member elastically biases the door in a direction toward the packing; and
a depression resisting means provided on an upper surface of the door and functioning to prevent the brush from being depressed by the door when the brush is pulled out of the vessel body.
2. The mascara vessel of claim 1, wherein the depression resisting means comprises a rib that protrudes upward from the upper surface of the door.
3. The mascara vessel of claim 2, wherein the rib has a triangular shape.
4. The mascara vessel of claim 1, wherein the packing comprises an outside packing and an inside packing, with a taper passage defined in the packing, in which a diameter of the passage is gradually reduced in a downward direction from a top end of the passage, thereby forming a taper shape of the passage.
5. The mascara vessel of claim 4, wherein a gap is defined between lower parts of the outside packing and the inside packing.
6. The mascara vessel of claim 1, wherein the antibiotic component is a silver glass containing 1〜3% by weight of a silver, and the mascara vessel contains 0.1〜3% by weight thereof.
7. The mascara vessel of claim 1, wherein at least one or more of the mascara vessel, the packing set, the door, the brush bar, and the brush contains the antibiotic component.
ABSTRACT
A mascara vessel having a door function and an antibiotic function. The mascara vessel is configured such that when a brush covered with mascara is pulled out of a vessel body, the mascara on the brush is evenly wiped with a packing to remove excess mascara.  The mascara vessel includes: a vessel body; a packing set in the vessel body; a door hinged to the packing and functioning to close a passage of the packing; an elastic member provided on a hinge joint between the packing and the door, with opposite ends of the elastic member being held by the packing and the door, respectively, so that the elastic member elastically biases the door in a direction toward the packing; and a depression resisting means provided on the door and functioning to prevent the brush from being depressed by the door when the brush is pulled out of the vessel body, thus inhibiting the growth of microorganism.
[fig 1]
2017047202.tif 000017
[fig 2]
2017047202.tif 000018
[fig 3]
2017047202.tif 000019
[fig 4]       
2017047202.tif 000020
[fig 5]
2017047202.tif 000021
[fig 6]
2017047202.tif 000022
[fig 7]
2017047202.tif 000023
[fig 8]
2017047202.tif 000024
[fig 9]
2017047202.tif 000025
[fig 10]
2017047202.tif 000026
[fig 11]
2017047202.tif 000027
[fig 12]
2017047202.tif 000028